(57)【要約】      （修正有）【課題】持ち運びや収納が自在であり、紙めくり作業や紙幣の計算を容易に行うことができ、さらに切手等の粘着面に液体を付着させることができる指滑止具を提供する。【解決手段】容器本体と、容器本体内に収容された滑止材２０とからなる指滑止具であって、容器本体に装着具２を設置する。装着具はクリップ、フック状クリップ、針状クリップ、チェーン型装着具、又は紐状装着具である。また滑止材は、脂肪酸ナトリウム、多価アルコール、コラーゲン、植物セラミドのうち、少なくとも一種により構成される。【選択図】図２
0003199062.tif 000002
【実用新案登録請求の範囲】
【請求項１】
容器本体と、該容器本体内に収容された滑止材とからなる指滑止具であって、前記容器本体に装着具を設置したことを特徴とする指滑止具。
【請求項２】
前記装着具はクリップである請求項１記載の指滑止具。
【請求項３】
前記装着具はフック状クリップである請求項１記載の指滑止具。
【請求項４】
前記装着具は針状クリップである請求項１記載の指滑止具。
【請求項５】
前記装着具はチェーン型装着具である請求項１記載の指滑止具。
【請求項６】
前記装着具は紐状装着具である請求項１記載の指滑止具。
【請求項７】
前記滑止材は、脂肪酸ナトリウム、多価アルコール、コラーゲン、植物セラミドのうち、少なくとも一種により構成されている請求項１乃至６のうちいずれか１項に記載の指滑止具。
【請求項８】
前記滑止材は液体保持材からなる請求項１乃至６のうちいずれか１項に記載の指滑止具。
【考案の詳細な説明】
【技術分野】
【０００１】  本考案は、持ち運びや収納が自在であり、且つ、紙めくり作業や紙幣の計算を容易に行うことができ、さらには切手等の粘着面に液体を付着させることができる指滑止具に関する。
【背景技術】
【０００２】  通常、紙めくり作業や紙幣の計算時において、指先の滑りを防ぐために滑止具が使用される。一般的な滑止具は、ケース内に海綿等の吸水具を収容させて形成されており、使用の際は、水を含ませた吸水具に指先を接触させて作業を行っていた。また近日、容器内にコラーゲン等の滑止材を収容させた滑止具も開発されている。
【先行技術文献】
【特許文献】
【０００３】  上記指の滑止具に関する先行技術として、紙やプラスチックフィルムを、めくったり数えたりする際に使用する指用滑り止め具として、指が蒸れず、取り扱う相手を汚さず、一度取り付けると長い時間使用できる指用滑り止め具がある（例えば特許文献１参照）。
上掲特許文献１の指用滑り止め具は、ゴムや合成樹脂の発泡スポンジを薄く加工したものを、指に粘着剤で貼ることによって、指の滑りを抑えることを特徴としている。
【特許文献１】  特開２００４−１８１９２０公報
【考案の概要】
【考案が解決しようとする課題】
【０００４】  しかしながら、上掲特許文献１の指用滑り止め具は、ゴムや合成樹脂の発泡スポンジを薄く加工して形成されるため、製造工程や材料コストが嵩むことになる。また使い捨て用品であるため不経済でもあった。【０００５】  そこで本考案は上記の点に鑑み、持ち運びや収納が自在であり、且つ、紙めくり作業や紙幣の計算を容易にすることができ、さらには切手や収入印紙等の粘着面に液体を付着させることができる指滑止具を提供することにある。
【解決を解決するための手段】
【０００６】  上記課題を解決するため、容器本体と、該容器本体内に収容された滑止材とからなる指滑止具であって、前記容器本体に装着具を設置したことを特徴とする。
【０００７】  また前記装着具はクリップである。
【０００８】  また前記装着具はフック状クリップである。
【０００９】  また前記装着具は針状クリップである。
【００１０】  また前記装着具はチェーン型装着具である。
【００１１】  また前記装着具は紐状装着具である。
【００１２】  また前記滑止材は、脂肪酸ナトリウム、多価アルコール、コラーゲン、植物セラミドのうち、少なくとも一種により構成されている。
【００１３】  さらに、前記滑止材は液体保持材からなる。
【考案の効果】
【００１４】  滑止材を収容させた容器本体に装着具を設置したことにより、携帯や収納性に優れるため、如何なる時でも紙めくり作業や紙幣の計算を容易に行うことができる。
【００１５】  また、容器本体に液体保持材を収容することで、切手や収入印紙等の粘着面に液体を付着させることができる。
【００１６】  さらには、装着具をフック状クリップ、針状クリップ、チェーン型装着具、紐状装着具とすることで、衣服のポケットやバック、また携帯電話等に自在に装着することができ、高い利便性を得ることが可能となる。
【図面の簡単な説明】
【００１７】
【図１】本考案の指滑止具の全体図である。
【図２】前記指滑止具を開蓋した状態を示す。
【図３】前記指滑止具の側面図を示す。
【図４】前記指滑止具の断面図を示す。
【図５】前記指滑止具の使用状態を示す。
【図６】他の好適例、本考案の指滑止具の全体図である。
【図７】フック状クリップの装着具を設置した指滑止具である。
【図８】針状クリップの装着具を設置した指滑止具である。
【図９】チェーン型装着具を設置した指滑止具である。
【図１０】紐状装着具を設置した指滑止具である。
【考案を実施するための形態】
【００１８】  本考案の指滑止具は、持ち運びや収納が自在であり、且つ、紙めくり作業や紙幣の計算を容易にすることができ、さらには切手や収入印紙等の粘着面に液体を付着させることができることを特徴とする。
以下、本考案の指滑止具における実施の形態を図面に基づいて説明する。
【００１９】  図１及び図２に示す指滑止具１は、容器本体２と、該容器本体２内に収容された滑止材２０とからなる。また特に、前記容器本体１０には装着具２が設置されていることを特徴とする。
【００２０】  容器本体１０は合成樹脂等の素材で形成されており、後述詳細の滑止材２０を収容する容器部１１と、該容器部１１の上部に開閉自在に装着される蓋体１２とで構成されている。なお前記蓋体１２は図中、連結具１３にて連結されているが、これに限らず、螺合させることにより開閉させることもできる。
【００２１】  また本考案の指滑止具１においては、前記容器本体１０の容器部１１に装着具２が設置されている。前記装着具２は、図１乃至図３に示すように容器部１１の底部に設置されている。
【００２２】  前記装着具２は、特に限定されるものではないが、筆記具等に具備されているクリップ３の形状に形成することが好ましい。前記容器本体１０にクリップ３を設置することにより、本考案の指滑止具１を衣服のポケット等に容易に装着させることができる。そのことにより、携帯や収納性に優れ、如何なる時でも紙めくり作業や紙幣の計算を容易に行うことができる。
【００２３】  また特に、前記容器部１１の内部には滑止材２０が収容されている。前記滑止材２０は、脂肪酸ナトリウム、多価アルコール、コラーゲン、植物セラミドのうち、少なくとも一種、好ましくは複数配合させることにより半固形状に形成されている。
【００２４】  前記容器部１１の内部に滑止材２０を収容させることにより、図５に示すように、指先に滑止材２０を付着させることで、紙めくり作業、伝票の計算、読書、紙幣の計算等を容易に行うことができる。
【００２５】  また他の好適例として、図６に示すように、容器本体３０に装着具２を設置するとともに、容器本体３０内に海綿等の素材からなる液体保持材３１を収容させてもよい。前記液体保持材３１に液体を含有させることにより、紙めくり作業等を容易にするとともに、切手や収入印紙の粘着面に水分を付着させることができる。
【００２６】  また他の好適例として、図７に示すように、本考案の指滑止具１に設置される装着具はフック状クリップ４とすることもできる。装着具をフック状クリップ４とすることで、本考案の指滑止具１を薄い布やシート等にも確実に装着することができる。
【００２７】  また図８に示すように、装着具を針状クリップ５とすることもできる。装着具を針状クリップ５とすることにより、布や皮革等にも本考案の指滑止具１を装着することができる。
【００２８】  また図９に示すように、装着具をチェーン型装着具６とすることもできる。チェーン型装着具６はキーホルダータイプに形成されているため、本考案の指滑止具１を車両や家の鍵に、さらには携帯電話等にも自在に装着することができる。
【００２９】  また図１０に示すように、装着具を紐状装着具７とすることもできる。紐状装着具７は根付け形状に形成されているため、本考案の指滑止具１をバッグや財布等にも自在に装着することができる。
【００３０】  上述の如く、本考案の指滑止具にクリップ、フック状クリップ、針状クリップ、チェーン型装着具、紐状装着具等の装着具を設置することで、持ち運びや収納が自在となる。
【００３１】  そのことにより、場所や時間を問わず、紙めくり作業や紙幣の計算を容易に行うことができるとともに、切手や収入印紙等の粘着面に液体を付着させることが可能となる。また、小売店等で配布されるビニール袋の開封作業も容易となる。
【符号の説明】
【００３２】１    指滑止具
２    装着具
３    クリップ
４    フック状クリップ
５    針状フック
６    チェーン型装着具
７    紐状装着具
１０  容器本体
１１  容器部
１２  蓋体
１３  連結具
２０  滑止材
３０  容器本体
３１  液体保持材
【図１】
0003199062.tif 000003
【図２】
0003199062.tif 000004
【図３】
0003199062.tif 000005
【図４】
0003199062.tif 000006
【図５】
0003199062.tif 000007
【図６】
0003199062.tif 000008
【図７】
0003199062.tif 000009
【図８】
0003199062.tif 000010
【図９】
0003199062.tif 000011
【図１０】
0003199062.tif 000012